(57)【要約】本発明は、壁に固定可能な側部(２)と側部(２)に対して回転可能でドアに固定可能なヒンジ部(３)と側部(２)に配置されてハウジング(１１)とピストンロッド(１２)を有する線形ダンパ(１０)を有するヒンジ(１)に関する。線形ダンパ(１０)のハウジング(１１、１１')は、側部(２)内にて少なくとも１つの軸(８、９)に回転不能に固定され、該軸(８、９)にレバー(４、５)が取り付けられて、ヒンジ部(３)を回転可能に取り付ける。【選択図】図１
2020525681.tif 000002
【特許請求の範囲】
【請求項１】
壁に固定可能な側部(２)と、側部(２)に対して回転可能でドアに固定可能なヒンジ部(３)と、側部(２)に配置されてハウジング(１１、１１’)とピストンロッド(１２)を有する線形ダンパ(１０)を有して、ピストンロッド(１２)はばね(７５)によって予め張力をかけられるヒンジ(１)において、
線形ダンパ(１０)のハウジング(１１、１１')は、側部(２)内にてホルダ(１５)を介して少なくとも１つの軸(８、９)に回転不能に固定され、該軸(８、９)にレバー(４、５)が取り付けられて、ヒンジ部(３)を回転可能に取り付ける、ヒンジ(１)。
【請求項２】
ホルダ(１５、１５')は、２本の脚に開口部(１７、１８)を備えたＵ字型の部品を有し、開口部(１７、１８)に各軸(８、９)が貫通する、請求項１に記載のヒンジ。
【請求項３】
ポット形状のハウジング(１１')は、ホルダ(１５')と一体に形成される、請求項１又は２に記載のヒンジ。
【請求項４】
線形ダンパ(１０)のハウジング(１１)は、ポット形状の構成であり、半径方向外向きに突出した少なくとの１つの段部(２８)がハウジング(１１)の基部の反対側に形成され、ハウジング(１１)はホルダ(１５)の開口部(１９)に挿入される、請求項１又は２に記載のヒンジ。
【請求項５】
ハウジング(１１、１１')は、ホルダ(１５、１５')内に偏心して位置する、請求項１乃至３の何れかに記載のヒンジ。
【請求項６】
ピストンロッド(１２)に固定された線形に変位可能なピストンが、ハウジング(１１、１１')内に配置された、請求項１乃至５の何れかに記載のヒンジ。
【請求項７】
ヒンジ部(３)を取り付けるべく、レバー(４)上に制御カム(４５)が形成され、該制御カム(４５)は閉じ動作時に、閉じ位置に達する直前に線形ダンパ(１０)を押圧する、請求項１乃至６の何れかに記載のヒンジ。
【請求項８】
ヒンジ部(３)を取り付けるべく、レバー(４)上に制御カム(４５)が形成され、該制御カム(４５)は開き動作時に、最大の開き位置に達する前に線形ダンパ(１０)を押圧する、請求項１乃至６の何れかに記載のヒンジ。
【請求項９】
制御カム(４５)は少なくとも１つの曲げられたウェブ上に形成され、線形ダンパ(１０)のピストンロッド(１２)に当接するピンに沿ってスライドする、請求項７又は８に記載のヒンジ。
【請求項１０】
ピン(１４)は、ホルダ(１５)の長孔(１６)に直線的に案内される、請求項９に記載のヒンジ。
【請求項１１】
線形ダンパ(１０)のストロークの長さは５ｍｍ未満、特に３ｍｍから４.２ｍｍの間である、請求項１乃至１０の何れかに記載のヒンジ。
【請求項１２】
線形ダンパ(１０)の長さは２０ｍｍ未満、好ましくは１８ｍｍ未満である、請求項１乃至１１の何れかに記載のヒンジ。
【請求項１３】
軸(８、９)の１つは、ヒンジの閉鎖を支持するためのばねを担持し、該ばねは、ホルダ(１５、１５ ')の中間空間に位置する、請求項１乃至１２の何れかに記載のヒンジ。
【請求項１４】
ばね(６０)のばねアーム(６１)は、ハウジング(１１、１１')に隣接する自由空間に延びている、請求項１３に記載のヒンジ。
【請求項１５】
側部(２)は、取付けプレート(３０)及び保持要素(３１)上に調整可能に保持され、側部(２)は、高さ調整ユニット(５０)及び深さ調整ユニット(４０)を介して取付けプレート(３０)に対して調整可能である、請求項１乃至１４の何れかに記載のヒンジ。
【発明の詳細な説明】
【技術分野】
【０００１】
本発明は、壁に固定可能な側部と側部に対して回転可能でドアに固定可能なヒンジ部と側部に配置されてハウジングとピストンロッドを有する線形ダンパを有して、ピストンロッドはばねによってハウジングから離れる方向に予め張力をかけられる、ヒンジに関する。
【背景技術】
【０００２】
ドイツ実用新案公報2020006003196号は、ヒンジ部が支持レバーとガイドレバーを介して側部に回転可能に取り付けられる家具ヒンジを開示している。ガイドレバーは延びアームを備え、該延びアーム上にハウジングとハウジングに対して変位可能なピストンロッドを備えた線形ダンパが回転可能に取り付けられている。そのような線形ダンパは、閉じ動作の減衰に適しているが、線形ダンパの回転により、側部において必要な設置スペースが大きいとの問題が生じている。
【０００３】
従って、本発明の目的は、特にコンパクトな構成であり、少なくとも１つの閉じ動作が減衰されることができるヒンジを生成することである。
この目的は、請求項１の特徴を有するヒンジによって解決される。
【発明の概要】
【課題を解決するための手段】
【０００４】
本発明に従ったヒンジの場合、線形ダンパのハウジングは、側部に回転不能に固定され、ホルダに固定され、ホルダは少なくとも１つの軸に固定され、該軸にヒンジ部を回転させるレバーが回転可能に取り付けられる。その結果、軸はヒンジ部の支持と線形ダンパの固定の両方に使用され得る。一方では、これは構成要素の数の削減につながり、他方でレバーのすぐ近くに線形ダンパを固定することができ、線形ダンパの設置スペースは比較的小さくて済む。
【０００５】
代替の実施形態において、ホルダは２つの軸に固定され、又はホルダは、少なくとも１つの軸を介して回転不能な方法で固定され、ホルダの１つの本体縁部が側部に接する。
ホルダは、開口部を備えた２つの脚部を有するＵ字形の形状部分を有し、該開口部に少なくとも１つの軸が挿入されるのが好ましい。少なくとも１つの軸は、ホルダの脚部の少なくとも１つの開口部にほぼ対応する多角形領域を有するのが特に好ましい。その結果、線形ダンパは、開口部を通って軸を押すことで簡単に取り付けられる。
【０００６】
線形ダンパは、ホルダと一体に構成されたポット形状のハウジングを備えるのが好ましい。或いは、線形ダンパのハウジングはポット形状であって、基部とは反対側に半径方向外側に突出する少なくとも１つの段部を有しており、ハウジングはホルダの開口部に挿入される。ハウジングとホルダが１つ以上の構成要素であるかどうかに関係なく、ハウジングは、ピストンロッドが固定される直線的に変位可能なピストンを含むことが好ましい。
【０００７】
更なる実施形態において、制御カムが１つのレバー上に形成されて、制御カムはヒンジの閉じ動作時に、閉じ位置に達する直前に線形ダンパを押圧し、ヒンジの開き動作時に、最大の開き位置に達する前に線形ダンパを押圧する。その結果、線形ダンパは開き減衰及び閉じ減衰の両方に使用され得る。付随的に、開き減衰を省くこともできる。制御カムは、レバーの湾曲したウェブ又はヒンジ部分の少なくとも１つ上に形成され、線形ダンパに接するピンに沿ってスライドするのが好ましい。ピンはホルダの長孔に沿って線形にガイドされ、ピンは制御カムを介して線形に移動し、線形ダンパはそれに応じて一緒に押されるか、離れて移動する。制御カムを介して線形ダンパを直接作動させることもできる。
【０００８】
特にコンパクトな構成故に、線形ダンパのストローク長さは５ｍｍ未満、特に３ｍｍから４.２ｍｍの間である。線形ダンパの長さは２０ｍｍ未満が好ましく、特に１８ｍｍ未満であり、線形ダンパは側部の小さな構成量のみを占有する。
【図面の簡単な説明】
【０００９】
本発明は添付の図面を参照して代表的な実施形態を基にして以下に詳細に説明される。
【図１】本発明に従ったヒンジの分解斜視図である。
【図２】閉じ位置における図１のヒンジの破断側面図である。
【図３】中間開き位置における図２のヒンジの図である。
【図４】中間開き位置における図２のヒンジの図である。
【図５】最大開き位置における図２のヒンジの図である。
【図６】ヒンジ部の開き位置に対するダンパの長手方向の延びを示すグラフである。
【図７】ホルダが取り付けられた図１のヒンジを部分的に破断した斜視図である。
【図８Ａ】ヒンジの平面図であり、線形ダンパを備えたホルダを部分的に破断している。
【図８Ｂ】ホルダ及び線形ダンパ上の図８Ａの部分の詳細図である。
【図９】ホルダに固定された線形ダンパの斜視図である。
【図１０】図９のホルダの平面図である。
【図１１】一体的に取り付けられたハウジングを備えた一体型ホルダの修正された実施形態例の斜視図である。
【図１２】図１１の線形ダンパを備えたホルダの分解斜視図である。
【発明を実施するための形態】
【００１０】
特に家具又は家庭用器具用のヒンジ１は、家具本体の側壁又は別の壁に固定可能な側部２を備える。ヒンジ部３は、側部２に回転可能に取り付けられ、ヒンジ部３には、ヒンジ１を介して閉じ位置から開き位置に回動可能なドアが固定される。この目的のために、側部２とヒンジ部３との間に２つのレバー４及び５が設けられている。レバー４のアームはＵ字形に形成されており、レバー４のアームは横方向ウェブ４４を備えている。レバー４は、ウェブ４４上に開口部４７を備え、該開口部４７から軸６が挿入されてヒンジ部３にレバー４を回転可能に取り付ける。さらに、軸６と離間した軸７も軸６と一体に形成され、軸６はレバー５の眼部５６を通して挿入されてレバー５をヒンジ部３に回転可能に取り付ける。レバー５は、複数の個々の平らな部品から構成することもでき、その結果、レバー５は、互いに重ねたときに軸７及び軸９に対応する穴を有することになる。
【００１１】
Ｕ字形に形成され、２つの脚部２０及び接続ウェブ２１を含む側部２は、脚部２０に開口部２２を有し、開口部２２を通って軸８が挿入されて、レバー４を側部２に回転可能に取り付ける。さらに、脚部２０には開口部２３が形成されており、開口部２３を通してレバー５を側部２に回転可能に取り付けるために軸９が挿入される。
【００１２】
ヒンジ部３の減衰動作を減衰すべく、線形ダンパ１０が設けられ、該線形ダンパ１０はポット状のハウジング１１と、ハウジング１１に対して移動可能なピストンロッド１２とを備える。ピストン１３は、ピストンロッド１２に固定され、ハウジング１１に対するピストン１３の移動中に減衰力を生成する。線形ダンパ１０はコンパクトな構造を有し、ピストンロッド１２のストローク運動は、好ましくは２ｍｍから６ｍｍの範囲、特に３ｍｍから５ｍｍの範囲が好ましい。
【００１３】
線形ダンパ１０は、側部２上に配置されたホルダ１５上に固定される。ホルダ１５はＵ字形に形成されて、接続部分に開口部１９を備えて、開口部１９内にハウジング１１の半径方向外側に突出する縁部がホルダ１５に押圧されるまで、線形ダンパのハウジング１１が挿入される。ホルダには２つのラグ２９が形成されており、これらのラグは、ハウジング１１がピストンロッド１２の長手方向に移動することを制限する。ホルダ１５は、２つの脚部に開口部１７及び１８を備え、該開口部には側部２に挿入される軸８及び９が貫通する。ホルダ１５及び線形ダンパ１０は、側部２に回転不可能に保持される。ホルダ１５はまた、ピン１４を案内するために使用される長孔１６を含む。ピン１４は、ピストンロッド１２の前端部に位置して、線形ダンパ１０を圧縮する。ピン１４はまた、ピストンロッド１２に固定して接続することができ、その結果、ピストンロッド１２を長孔１６内に案内するための一種のハンマーヘッドがピストンロッド１２に形成される。更に、線形ダンパ１０には、ピストンロッド１２を突出位置に予め張力をかけるためのばね７５が設けられている。
【００１４】
側部２は付随的に、家具本体の側壁に直接固定することができる。しかし、示された実施形態において、取付けプレート３０が側壁に固定され、その上に保持要素３１が保持され、その上に側部２が調節可能に保持される。保持要素３１は、高さ調整ユニット５０用のスロット形の開口部３６と、深さ調整ユニット４０用の開口部３５とを備える。深さ調整ユニット４０は、側部２の凹部２４を通って案内され、開口部３５に係合する偏心ピン４１を有する。高さ調整ユニット５０は、保持要素３１の開口部３６に組み込まれた案内溝５１と、ねじ付き孔２５によって側部２に係合されるねじ５２とを有する。
【００１５】
保持要素３１はさらに、ラッチ要素３４を介して取付けプレート３０にラッチされ、ラッチ要素３４は軸３２を介して保持要素３１に回転可能に取り付けられ、さらにばね３３を介して予め張力がかけられている。
ヒンジ１は更にばね６０を備え、ばね６０は脚部バネとして形成され、レバー４に支持された第１のばねアーム６１を備える。第２の対向するばねアーム６２がレバー５に支持されており、受け部６３がレバー５上のウェブ５５に形成されている。或いは、従来技術で知られている他の閉じばね装置も使用され得る。例えば、リーフばねを有する構成も使用され得る。
【００１６】
図２はヒンジ１を組立て位置にて示し、ヒンジ部３は閉じ位置に位置している。ヒンジ部３が図３に示すように開き位置に回転すれば、レバー４及びレバー５も回転する。レバー４が回転することにより、制御カム４５は軸８を中心に回転し、それによりピン１４は制御カム４５に沿ってスライドする。開き方向への動作中に、線形ダンパ１０の長手方向の延びが増加し、ピストンロッド１２がハウジング１１から延びる。
【００１７】
図４に４０°と６５°の間の角度範囲で、中間開き位置が示され、線形ダンパは最大の長手方向の延びを経る。ピン１４は受け部内に位置して制御カム４５を押し、ピストンロッド１２は最大限に突出した位置にある。ヒンジ部３が更に開く方向に移動すると、レバー４は再び反対方向に回転し、ピン１４は再び制御カム４５に沿ってスライドして戻る。
図５に示す位置に到達するまで、ピストンロッド１２を引っ込めることにより、線形ダンパは再びわずかに圧縮される。この位置で、レバー４がそのウェブ４４でレバー５とどのように係合するかが判る。最大の開き位置において、線形ダンパはまた閉じ位置よりも大幅に長い長手方向の延びがある。他の制御カム４５も、線形ダンパを制御するために使用され得て、例えば最大の開き位置で線形ダンパ１０はより強力に引き込まれて、特に最大の開き位置に到達する直前により強力な開き減衰が達成される。制御カムは、ピストンロッドが最大に開いた位置に引き込まれるように構成することもできるが、ダンパの長手方向の最大の延びからヒンジ部３の最大開き位置までの角度範囲にわたるピストンロッドのストロークは非常に小さく、又はピストンロッド１２のストローク動作は非常に遅く、減衰効果は殆ど生じない。何れの場合でも、線形ダンパは、ヒンジ部３の開き動作中に長手方向の最大の延びを通過する。閉じ方向において、ヒンジ部３は図５に示す位置から出て図２に示す位置に戻り、線形ダンパはこの場合長手方向の最大の延びを通過し、閉じ位置に達する前に強く圧縮され、必要な減衰力が得られる。制御カム４５とピストンロッド１２の間にピン１４を差し込むことにより、横方向の力は回避される、何故ならピン１４はホルダ１５の長孔１６上で直線的に案内されるからである。
【００１８】
図６に表が示され、ヒンジ部３の開き角度に対するピストンロッドの位置がストローク動作によって示される。閉じ位置において、ピストンロッド１２は引込み位置にあり、開き動作中、線形ダンパの長手方向の最大の延びは、５０°と７５°の間の角度範囲にある。ヒンジ部３が大凡１０５°の最大開き位置に達すると、線形ダンパは再び少し圧縮され、最大に開いた位置までの回転動作中に、ヒンジ部３に作用する減衰力は小さいか、全くない。ヒンジ部３が閉じ方向に移動すると、ヒンジ部３を減速させるべく、減衰力が閉じ位置の前にて２５°から４０°の角度で作用し始める。しかし、ヒンジ部３は、ばね６０を介して自動的に閉じ位置に移動する。
【００１９】
図７にて、ヒンジ１は取付け位置に再び示され、線形ダンパのハウジング１１’は側部２に収容され、小さな構造容積のみを占めることが判る。ハウジング１１’は、高さ調整ユニット５０と軸８、９との間に配置される。ピストンロッド１２の長手方向における線形ダンパの延びは、好ましくは２０ｍｍ未満、特に１８ｍｍ未満である。この小さな延びもかかわらず、十分に高い減衰力が提供される。
【００２０】
図８Ａ及び図８Ｂは、ピストンロッド１２を移動させるための駆動機構と、線形ダンパのホルダ１５'の位置決めとを示している。ピストンロッド１２は、ピン１４によって駆動され、ピン１４は、ピストンロッド１２の端面に位置し、ピストンロッド１２に対して垂直に配列される。ピン１４はホルダ１５'の長孔１６に案内され、ピストンロッド１２をポット形状のハウジング１１'に押し込んで減衰力を発生させることができる。
ばね６０は、ここではハウジング１１'との一体構造にて、ホルダ１５'の中間空間に軸８によって保持されている。コンパクトな構成のため、及びばねアーム６２がハウジング１１'を自由に通過できるようにするために、線形ダンパのハウジング１１'はホルダ１５'の中心から外れて形成されている。従って、ばねアーム６２は、それによりハウジング１１'の隣に形成された自由空間内に延びることができる。
【００２１】
図９は、ポット形状のハウジング１１とホルダ１５とを備えた線形ダンパを示している。ホルダ１５は、ホルダ１５の２本の各脚部に形成され、ピン１４を案内するための長孔１６を備えたＵ字形状の部品として構成されている。
更に、ホルダ１５は、軸８及び軸９が通る開口部１７及び１８を両脚部に備え、ホルダは軸８及び軸９を介して側部２に固定され、軸８及び軸９は側部２上の開口部２２及び開口部２３を通る。従って、ホルダ１５は側部２に堅固に固定され、線形ダンパもホルダ１５に回転不能に固定され、ピストンロッド１２のみがホルダ１５に対して直線的に移動することができる。或いは、ピストンロッド１２をホルダ１５に固定し、ハウジング１１を直線的にのみ動かすことも勿論可能である。
【００２２】
ピストンロッド１２の移動方向にハウジング１１を固定するために、２つの一体に形成されたラグ２９がホルダ１５に設けられ、ポット形状ハウジング１１の一方の縁に対するストッパを形成する。ハウジング１１は、基部の反対側の端部に半径方向外方に突出する段部２８を有し、これにより、ハウジング１１をホルダ１５の開口部１９に確実に挿入できるが、段部２８までしか挿入できない。段部２８の反対側には、ヒンジ部３への動きを制限又は規制するラグ２９が設けられている。
【００２３】
図７及び図８において、ハウジング１１とホルダ１５は、２つの異なる部品から作られる。図９及び図１０に示す修正された実施形態例にて、ポット形のハウジング１１'は、例えば射出成形プロセスによりプラスチック製の成形部品としてホルダ１５'と一体に形成される。ホルダ１５'は再び２つの板状の脚部を備え、該脚部上に軸８及び軸９を挿入するための開口部１７及び１８が形成されている。更に、ピン１４を案内すべく、長孔１６が両脚部に配備され、前の実施形態のように、ハウジング１１'とホルダ１５'からなるユニットは、ヒンジの側部２に挿入可能である。ピストンロッド１２の長手方向の大きな力を吸収できるようにするために、ポット形状のハウジング１１'は、補強リブ１９'を介して一体的に形成されたホルダ１５'に接続されている。
【００２４】
図１２は、線形ダンパの分解図を示す。ディスク形のホルダ７１がピストンロッド１２上に形成され、ホルダ７１は周縁に幾つかのスロットル開口部７２を有し、ピストンロッド１２がハウジング１１'内で動くときに、流体が開口部７２を通って流れる。ピストンリング７０は、ディスク形状のホルダ７１と固定要素７４との間に、特に軸方向の遊びが殆どない状態で配置されており、固定要素７４は、ピン７３を介してピストンロッド１２の開口部に固定される。ピストンリング７０の軸方向の遊びは、ピストンロッド１２の延び動作が比較的スムーズに行われることを確実にする一方、ピストンロッド１２をハウジング１１'に押し込むと、小さな流れ断面による高い減衰力がもたらされる。ピストンとピストンロッド１２は、ばね７５によって延び位置に予め張力をかけられ、ばね７５は、ハウジング１１'の基部にて片側が支持され、固定要素７４にて反対側が支持されている。
【００２５】
段部２８にて、シール７６がポット形状のハウジングに保持されて、シール７６は段部２８の内壁で外側シーリングリップ７８又はシーリングビードと接触している。シール７６はまた、ピストンロッド１２が貫通する内部開口部７７を有し、ピストンロッド１２は、シール７６に対して移動可能である。
【００２６】
シール７６はカバー８０によって保持されており、カバー８０は、外輪によって段部２８の内壁に締め付けられた状態で固定されている。カバー８０は、ピストンロッド１２が貫通する開口部８１を備えた内側リング８２を含む。内側リング８２は、ピストンロッド１２の軸方向にばね要素８３を介してばね荷重が加わるように取り付けられ、シール７６をハウジング１１'に押し込む。ピストンロッド１２がハウジング１１'内に移動すると、ピストンロッド１２は特定の容積を変位させ、例えばオイルなどの減衰流体はより多くの容積を必要とする。その結果、シール７６は、ばね要素８３の力に抗してハウジング１１'上で軸方向に僅かに変位し、その結果、ピストンロッド１２の容積が補償される。ピストンロッド１２がばね７５によってハウジング１１'から再び押し出されると、容積の補償は反対方向に行われ、シール７６はばね要素８３によってハウジング１１'に押し戻される。勿論、ピストンロッド１２に固定された他のピストンも線形ダンパとして使用できる。ハウジング１１又は１１'及びピストンロッド１２を備えた線形ダンパは、２０ｍｍ未満、特に１８ｍｍ未満の長さを有することが好ましく、特にコンパクトな構成が提供される。
【符号の説明】
【００２７】
１    ヒンジ
２    側部
３    ヒンジ部
４    レバー
５    レバー
６    軸
７    軸
８    軸
９    軸
１０  線形ダンパ
１１、１１’  ハウジング
１２  ピストンロッド
１３  ピストン
１４  ピン
１５、１５’  ホルダ
１６  長孔
１７  開口部
１８  開口部
１９  開口部
１９’補強リブ
２０  脚部
２１  接続ウェブ
２２  開口部
２３  開口部
２４  凹部
２５  ねじ付き孔
２８、２８’  段部
２９  ラグ
３０  取付けプレート
３１  保持要素
３２  軸
３３  ばね
３４  ラッチ要素
３５  開口部
３６  開口部
４０  深さ調整ユニット
４１  ピン
４４  ウェブ
４５  制御カム
４７  開口部
５０  高さ調整ユニット
５１  ガイド溝
５２  ねじ
５５  ウェブ
５６  眼部
６０  ばね
６１  ばねアーム
６２  ばねアーム
６３  受け部
７５  ばね
７６  シール
７７  開口部
７８  シーリングリップ
８０  カバー
８１  開口部
８２  リング
８３  ばね要素
【図１】
2020525681.tif 000003
【図２】
2020525681.tif 000004
【図３】
2020525681.tif 000005
【図４】
2020525681.tif 000006
【図５】
2020525681.tif 000007
【図６】
2020525681.tif 000008
【図７】
2020525681.tif 000009
【図８Ａ】
2020525681.tif 000010
【図８Ｂ】
2020525681.tif 000011
【図９】
2020525681.tif 000012
【図１０】
2020525681.tif 000013
【図１１】
2020525681.tif 000014
【図１２】
2020525681.tif 000015
【国際調査報告】
2020525681.tif 000016
2020525681.tif 000017
2020525681.tif 000018
2020525681.tif 000019